(57)【要約】【課題】ペット用トイレのトレーに敷設した場合に、トレーのサイズに関わらず当該トレーとの間に隙間の発生しづらいペット用吸収性シートを提供する。【解決手段】透液性の表面シート１と、不透液性の裏面シートと、表面シート１１と裏面シートとの間に介装される吸収体１３とからなるペット用吸収性シート１において、平面視略矩形状を呈し、当該ペット用吸収性シート１の一辺に平行な一の方向（Ｘ方向）に沿って延在し、折り曲げが他の部分よりも容易な折り曲げ部１５、１５が、前記一の方向（Ｘ方向）と直交する他の方向（Ｙ方向）の両端から予め設定された一の位置に備えられている。【選択図】図１
2013255451.tif 000002
【特許請求の範囲】
【請求項１】
透液性の表面シートと、不透液性の裏面シートと、前記表面シートと前記裏面シートとの間に介装される吸収体とからなるペット用吸収性シートにおいて、
平面視略矩形状を呈し、
当該ペット用吸収性シートの一辺に平行な一の方向に沿って延在し、折り曲げが他の部分よりも容易な折り曲げ部が、前記一の方向と直交する他の方向の両端から予め設定された一又は複数の位置に備えられていることを特徴とするペット用吸収性シート。
【請求項２】
前記折り曲げ部は、前記一の方向の両端から予め設定された一又は複数の位置に、前記他の方向に沿って延在するよう更に備えられていることを特徴とする請求項１に記載のペット用吸収性シート。
【請求項３】
前記折り曲げ部は、前記吸収体を厚さ方向に圧縮して形成されたエンボス加工部により、他の部分よりも薄く形成されていることを特徴とする請求項１又は２に記載のペット用吸収性シート。
【請求項４】
前記折り曲げ部は、前記吸収体が全体的又は部分的に欠落していることを特徴とする請求項１〜３の何れか一項に記載のペット用吸収性シート。
【請求項５】
前記他の方向の両端には、前記裏面シート側から前記表面シート側に亘って前記吸収体の端面を覆う補強部が備えられていることを特徴とする請求項１〜４の何れか一項に記載のペット用吸収性シート。
【請求項６】
前記補強部は、前記裏面シートと連続して形成されていることを特徴とする請求項５に記載のペット用吸収性シート。
【請求項７】
前記補強部は、前記裏面シートと別体として備えられていることを特徴とする請求項５に記載のペット用吸収性シート。
【請求項８】
前記補強部は、前記折り曲げ部よりも前記他の方向に沿った外側に位置することを特徴とする請求項１〜７の何れか一項に記載のペット用吸収性シート。
【発明の詳細な説明】
【技術分野】
【０００１】
本発明は、ペット用吸収性シートに関する。
【背景技術】
【０００２】
従来、犬、猫等のペットが排泄した尿等を吸収するためのペット用吸収性シートが普及している（例えば、特許文献１参照）。ペット用吸収性シートは、近年のペットの飼育形態の多様化により、毎日交換する必要のあるものから、数日間に一度交換すればよいという比較的長期に亘って使用が可能なものへと移行しつつある。
【０００３】
このようなペット用吸収性シートは、例えば、ペットの排泄物を処理するためのペット用トイレにセットして使用される。
ペット用トイレとしては、例えば、トイレ本体を液透過性の簀の子により上下に区画して、上層部分に便床を形成する粒状の排泄物処理材を敷設し、下層部分の引き出し可能なトレーに上記したペット用吸収性シートを敷設して使用する二層式のものが知られている。
こうしたペット用トイレでは、上層部分に敷設された排泄物処理材が、ペットの排泄液を素早く通過させ、通過した排泄液を簀の子の通液孔を介して下層部分に落下させ、落下した排泄液を下層部分のトレーに敷設されたペット用吸収性シートに吸収させている。
トレーは一般に平面視略長方形状であって、ペット用吸収性シートをセットする際にはトイレ本体から引き出され、ペット用吸収性シートは、その長手方向一端部からトレー内に挿入され、当該トレーの内部底面全体を覆うように敷設される。
【０００４】
ペット用吸収性シートとしては、透液性の表面シートと、不透液性の裏面シートと、表面シート及び裏面シートの間に介装される吸収体とを備え、平面視略長方形状に形成されたものなどが知られている。かかるペット用吸収性シートは、一般に、表面シートを内側として折り畳まれた状態で包装され、使用時に展開されて平面状態とされる。
【先行技術文献】
【特許文献】
【０００５】
【特許文献１】特開２０１０−５１２６１号公報
【発明の概要】
【発明が解決しようとする課題】
【０００６】
しかしながら、上記したペット用トイレには多様なサイズのものが存在し、トレーのサイズも一通りではない。そこで、様々なサイズのトレーに使用可能となるよう大きめのペット用吸収性シートを選んだ場合、当該シートより小さなトレーに用いようとすると、図１０に示すように、ペット用吸収性シートの縁部が持ち上がるため、トレーをトイレ本体に押し戻す際に引っかかり、その結果、トレーとペット用吸収性シートとの間に隙間ができてしまう。
こうしたトレーとペット用吸収性シートとの間の隙間は、ペット用トイレの上層部分から排泄液が流れてきた場合に、ペット用吸収性シートがこれを受け止めきれずにモレが発生する原因となり、結果として臭いを発生させてしまうという問題があった。かかる問題は、比較的長期に亘って使用するペット用吸収性シートにおいては特に顕著である。
【０００７】
本発明の課題は、ペット用トイレのトレーに敷設した場合に、トレーのサイズに関わらず当該トレーとの間に隙間の発生しづらいペット用吸収性シートを提供することである。
【課題を解決するための手段】
【０００８】
上記課題を解決するため、請求項１に記載の発明は、
透液性の表面シートと、不透液性の裏面シートと、前記表面シートと前記裏面シートとの間に介装される吸収体とからなるペット用吸収性シートにおいて、
平面視略矩形状を呈し、
当該ペット用吸収性シートの一辺に平行な一の方向に沿って延在し、折り曲げが他の部分よりも容易な折り曲げ部が、前記一の方向と直交する他の方向の両端から予め設定された一又は複数の位置に備えられていることを特徴とする。
【０００９】
また、請求項２に記載の発明は、請求項１に記載のペット用吸収性シートにおいて、
前記折り曲げ部は、前記一の方向の両端から予め設定された一又は複数の位置に、前記他の方向に沿って延在するよう更に備えられていることを特徴とする。
【００１０】
また、請求項３に記載の発明は、請求項１又は２に記載のペット用吸収性シートにおいて、
前記折り曲げ部は、前記吸収体を厚さ方向に圧縮して形成されたエンボス加工部により、他の部分よりも薄く形成されていることを特徴とする。
【００１１】
また、請求項４に記載の発明は、請求項１〜３の何れか一項に記載のペット用吸収性シートにおいて、
前記折り曲げ部は、前記吸収体が全体的又は部分的に欠落していることを特徴とする。
【００１２】
また、請求項５に記載の発明は、請求項１〜４の何れか一項に記載のペット用吸収性シートにおいて、
前記他の方向の両端には、前記裏面シート側から前記表面シート側に亘って前記吸収体の端面を覆う補強部が備えられていることを特徴とする。
【００１３】
また、請求項６に記載の発明は、請求項５に記載のペット用吸収性シートにおいて、
前記補強部は、前記裏面シートと連続して形成されていることを特徴とする。
【００１４】
また、請求項７に記載の発明は、請求項５に記載のペット用吸収性シートにおいて、
前記補強部は、前記裏面シートと別体として備えられていることを特徴とする。
【００１５】
また、請求項８に記載の発明は、請求項１〜７の何れか一項に記載のペット用吸収性シートにおいて、
前記補強部は、前記折り曲げ部よりも前記他の方向に沿った外側に位置することを特徴とする。
【発明の効果】
【００１６】
本発明によれば、ペット用吸収性シートは、平面視略矩形状を呈し、当該ペット用吸収性シートの一辺に平行な一の方向に沿って延在し、折り曲げが他の部分よりも容易な折り曲げ部が、一の方向と直交する他の方向の両端から予め設定された一又は複数の位置に備えられている。
このため、ペット用トイレのトレーのサイズがペット用吸収性シートより小さい場合、ペット用吸収性シートを折り曲げ部により折り曲げてセットすることができるため、当該シートとトレーとの間に隙間が発生しづらくなる。
よって、ペット用トイレの上層部分から排泄液が流れてきた場合に、ペット用吸収性シートがこれを受け止めきれずにモレが発生するという事態が起こりづらく、かかるモレに起因する臭いが発生するのを防止することができる。
また、このように折り曲げ部によりペット用吸収性シートのサイズを調整できるため、ペットの飼育者にとって、トレーに合ったサイズのペット用吸収性シートを選ぶという手間を省くことができる。
【図面の簡単な説明】
【００１７】
【図１】本発明の実施の形態に係るペット用吸収性シートの一例を示す平面図である。
【図２】図１のＩＩ−ＩＩ線における断面図である。
【図３】図２の要部拡大図である。
【図４】（ａ）は、図１のエンボス加工部を示す平面図であり、（ｂ）は、Ａ−Ａ線における断面図である。
【図５】エンボス加工部の変形例を示す平面図である。
【図６】図１のペット用吸収性シートをペット用トイレのトレーに挿入する様子を示す図である。
【図７】変形例１に係るペット用吸収性シートの一例を示す断面図である。
【図８】変形例２に係るペット用吸収性シートの一例を示す断面図である。
【図９】変形例３に係るペット用吸収性シートの一例を示す平面図である。
【図１０】従来のペット用吸収性シートの問題点を説明するための図である。
【発明を実施するための形態】
【００１８】
以下、本発明の実施形態を、図面を用いて詳細に説明する。ただし、発明の範囲は、図示例に限定されない。
【００１９】
先ず、構成について説明する。
本実施形態に係るペット用吸収性シート１は、例えば、図１に示すように、短辺及び長辺を有する平面視略長方形状に形成され、表面からペットにより排泄された排泄物の水分をシート内に吸収することができるものである。
なお、以下の説明においては、ペット用吸収性シート１の長辺に沿った長手方向をＸ方向（一の方向）とし、Ｘ方向と直交する短手方向（幅方向）をＹ方向（他の方向）とする。また、ペット用吸収性シート１の厚さ方向をＺ方向とする。
【００２０】
ペット用吸収性シート１は、例えば、図１、２に示すように、尿などの液体を速やかに透過させる透液性の表面シート１１と、表面シート１１の裏面側に配置される不透液性の裏面シート１２と、これら表面シート１１と裏面シート１２との間に介装される吸収体１３と等を備えて構成されている。
【００２１】
表面シート１１は、吸収体１３の天面を覆う大きさに設けられている。表面シート１１は、透液性であって、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、尿等の液体がより速やかに吸収されるようになり、ドライタッチ性に優れたものとなる。
【００２２】
裏面シート１２は、吸収体１３底面を覆い、さらに吸収体１３の端面を覆って、吸収体１３上面の長手両側縁（他の方向の両端）において、表面シート１１側に折り返される補強部１４、１４を備えている。なお、補強部１４、１４は、例えば、図３に示すように、後述するエンボス加工部１５、１５よりもＹ方向の外側に配されるものであって、補強部１４、１４がエンボス加工部１５、１５を覆わないように構成されていることが好ましい。
そして、表面シート１１側に折り返された補強部１４、１４の上面に、表面シート１１がホットメルト接着剤、ヒートシール、超音波シール等により接着されている。
裏面シート１２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。また、このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シートとして用いることができる。また、裏面シート１２は、例えば、防漏シートと吸液シートを組み合わせたシートのように、その最外面が吸液性のものであってもよい。これにより、ペット用吸収性シート１同士の接合部から、万が一、尿等の液体のしみ出しがあった場合でも、少量であれば吸液シートにより吸液できるため、衛生的である。
【００２３】
吸収体１３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer 以下「ＳＡＰ」と略す。）を組み合わせて吸収体を構成することもできる。
ＳＡＰとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、あるいはイソブチレンとマレイン酸との共重合体等が好適に用いられる。
さらに、消臭機能を持たせるため、消臭剤を吸収体１３に入れてもよい。消臭剤としては、例えば、活性炭や天然鉱物(例えば、ベントナイト、カオリナイト、カネマイト等)、合成無機物（ゼオライト、アモルファスシリカ等）を用いることができる。
なお、吸収体１３は、図示しないクレープ紙により包まれて形成されている。
【００２４】
このようなペット用吸収性シート１には、折り曲げ部として、吸収体１３をＺ方向（厚さ方向）に圧縮して形成されたエンボス加工部１５、１５が形成されている。
エンボス加工部１５、１５は、ペット用吸収性シート１の長手両側縁（他の方向の両端）から予め設定された位置において、Ｘ方向（一の方向）に沿って延在するよう備えられている。
ここで、予め設定された位置とは、市販のペット用トイレのトレーの幅に合わせて予め設定された所定位置をいう。
【００２５】
かかるエンボス加工部１５、１５は、吸収体１３を圧縮して形成されるので周囲（他の部分）と比較して薄いものであり、このため、他の部分よりも容易に折り曲げることができるようになっている。
なお、このときエンボス加工部１５、１５においては、吸収体１３を全体的又は部分的に欠落させることで、エンボス加工前の吸収体１３の厚さを他の部分よりも薄く形成することが好ましい。このようにすることで、より容易に折り曲げることができることとなる。
なお、エンボス加工部１５、１５は、例えば、繊維集合体やＳＡＰからなる吸収体をクレープ紙で包んで吸収体１３を形成した後、上面側からエンボスロールによりマシン流れ方向に平行に施されるものである。エンボス加工部１５、１５の施された吸収体１３は、下面側に備えられた裏面シート１２により長手両側縁部を上面側にかけて覆われ、その後、上面側から表面シート１１が備えられる。
また、吸収体１３に表面シート１１を貼り合わせた後、エンボス加工部１５、１５を施すことも可能である。
【００２６】
こうしたエンボス加工部１５、１５は、例えば、１〜５ｍｍの幅で形成されることが好ましい。エンボス加工部１５、１５の幅が１ｍｍより小さいと、折り曲げ位置が視認しにくくなったり、表面シート１１がエンボスの圧力により切れる可能性があり、５ｍｍより大きいと、吸収体１３のＳＡＰの膨張を妨げる可能性が高くなるためである。
【００２７】
また、エンボス加工部１５においては、例えば、図４（ａ）（ｂ）に示すように、Ｚ方向の深さが互いに異なる高圧縮部１５１及び低圧縮部１５２を交互に設けることが好ましい。このようにすることで、エンボス加工後において、エンボス加工部１５の形状を保ちやすくすることができる。
なお、図４（ａ）に示すように、高圧縮部１５１及び低圧縮部１５２を、交互に、エンボス加工部１５の幅（エンボス加工部１５のＹ方向に沿った長さ）全体に亘り形成することで、エンボス加工部１５が目立ち、折り曲げ位置を視認し易くすることができる。
【００２８】
また、エンボス加工部１５における高圧縮部１５１及び低圧縮部１５２の形状は、上記したものに限定されず、例えば、図５（ａ）に示すように、高圧縮部１５１をエンボス加工部１５の幅方向の両側部に交互に配置する形状としても良いし、図５（ｂ）に示すように、平面視円形状の高圧縮部１５１をＸ方向に沿って所定間隔毎に配置する形状としても良い。
図５（ａ）の形状であれば、より折り曲げ易くすることができ、図５（ｂ）の形状であれば、折り曲げ易いのは勿論のこと、デザイン性の優れたものとすることができる。
【００２９】
また、かかるエンボス加工部１５、１５よりもＹ方向外側であるペット用吸収性シート１の長手両側縁に補強部１４、１４が配され、当該補強部１４、１４がエンボス加工部１５、１５を覆うことがないように構成されている。
【００３０】
次に、作用について説明する。
本実施形態に係るペット用吸収性シート１は、例えば、ペットの排泄物を処理するためのペット用トイレ１００にセットして使用される。
【００３１】
ここで、ペット用トイレ１００について説明する。
ペット用トイレ１００は、例えば、図６に示すように、トイレ本体１０１と、トイレ本体１０１から引き出し可能なトレー１０２と、を備えて構成されている。
【００３２】
トイレ本体１０１は、上面の開放された略直方体形状の箱体であり、その内部が液透過性の簀の子１０１ａにより上下に区画されている。
トイレ本体１０１の簀の子１０１ａ上には、便床を形成する粒状の排泄物処理材（図示省略）が敷設される。
排泄物処理材としては、例えば植物由来の素材の粉砕物及び合成樹脂を含む成形物からなるものが用いられる。これらの成形物は、吸水率が好ましくは１〜１０％、より好ましくは１〜５％の低吸水性を備えることから、ペットが排泄する尿等の排泄液を素早く通過させて、簀の子１０１ａの透液孔１０１ｂを介して下層部分に落下させ、当該下層部分に配置されたトレー１０２内のペット用吸収性シート１に排泄液を積極的に吸収させるものである。
【００３３】
また、トレー１０２は、平面視略長方形状の盆状に形成されている。
トレー１０２は、ペット用吸収性シート１が敷設された状態でトイレ本体１０１の下層部分に配置され、簀の子１０１ａの透液孔１０１ｂを介して落下してきた排泄液を受け止める。
トレー１０２は、ペット用吸収性シート１を交換する際に、トイレ本体１０１の端面下部に形成された引き出し口１０１ｃから長手方向に沿って引き出される。
【００３４】
ペット用吸収性シート１は、このようなペット用トイレ１００のトレー１０２にセットされる場合、トイレ本体１０１から引き出した状態のトレー１０２に対して、Ｘ方向（長手方向）一端部から挿入される。
このとき、ペット用吸収性シート１がトレー１０２より幅広な場合には、ペット用吸収性シート１は、折り曲げ部であるエンボス加工部１５、１５により折り曲げて挿入される。
このため、ペット用吸収性シート１のエンボス加工部１５、１５よりＹ方向の内側部分はトレー１０２底面に密着するので、ペット用吸収性シート１のＹ方向両端部が浮き上がるのが防止されることとなり、ペット用吸収性シート１とトレー１０２との間に隙間が発生しづらいものとなっている。
【００３５】
また、ペット用吸収性シート１の長手両側縁には補強部１４、１４が備えられているため、折り曲げて挿入されたときに、トレー１０２の抜き差しによりペット用吸収性シート１の長手両側縁が擦れた場合に、ペット用吸収性シート１が裂ける等の劣化が発生するのを防止することができる。
また、かかる補強部１４、１４は、エンボス加工部１５、１５よりもＹ方向外側に位置しているため、エンボス加工部１５、１５によりペット用吸収性シート１を折り曲げた場合に、エンボス加工部１５、１５よりＹ方向内側部分に位置する吸収体を覆わないため、排泄液の吸収が阻害されることがない。
更に、かかる補強部１４、１４は、防漏性を有するため、排泄液が長手両側縁より染み出すのを防止することができる。
【００３６】
以上のように、本実施形態によれば、透液性の表面シート１１と、不透液性の裏面シート１２と、表面シート１１と裏面シート１２との間に介装される吸収体１３とからなるペット用吸収性シート１において、平面視略矩形状を呈し、当該ペット用吸収性シート１の一辺に平行な一の方向（Ｘ方向）に沿って延在し、折り曲げが他の部分よりも容易な折り曲げ部が、前記一の方向（Ｘ方向）と直交する他の方向（Ｙ方向）の両端から予め設定された一の位置に備えられ、前記折り曲げ部は、吸収体１３を厚さ方向（Ｚ方向）に圧縮して形成されたエンボス加工部１５、１５により、他の部分よりも薄く形成されている。
このため、ペット用トイレ１００のトレー１０２のサイズがペット用吸収性シート１より小さい場合、ペット用吸収性シート１をエンボス加工部１５、１５により折り曲げてセットすることができるので、当該シート１とトレー１０２との間に隙間が発生しづらくなる。
よって、ペット用トイレ１００の上層部分から排泄液が流れてきた場合に、ペット用吸収性シート１がこれを受け止めきれずにモレが発生するという事態が起こりづらく、かかるモレに起因する臭いが発生するのを防止することができる。
また、このようにエンボス加工部１５、１５によりペット用吸収性シート１のサイズを調整できるため、ペットの飼育者にとって、トレー１０２に合ったサイズのペット用吸収性シート１を選ぶという手間を省くことができる。
【００３７】
また、本実施形態によれば、エンボス加工部１５、１５は、吸収体１３が全体的又は部分的に欠落している。
このため、より容易に折り曲げることができる。
【００３８】
また、本実施形態によれば、他の方向（Ｙ方向）の両端には、裏面シート１２側から表面シート１１側に亘って吸収体１３の端面を覆う補強部１４、１４が備えられている。
このため、トレー１０２の抜き差し作業時において、ペット用吸収性シート１の長手両側縁（Ｙ方向両端）が劣化するのを防止することができる。
【００３９】
また、本実施形態によれば、補強部１４、１４は、裏面シート１２と連続して形成されている。
このため、補強部１４、１４を別部材で形成する場合と比べて、部材の点数が増えず、生産性が高い。
【００４０】
また、本実施形態によれば、補強部１４、１４は、エンボス加工部１５、１５よりも他の方向（Ｙ方向）に沿った外側に位置している。
このため、エンボス加工部１５、１５によってペット用吸収性シート１を折り曲げた場合に、エンボス加工部１５、１５よりＹ方向内側部分に位置する吸収体を補強部１４、１４が覆わないため、排泄液の吸収が阻害されることがない。
【００４１】
なお、上記実施形態においては、折り曲げ部をエンボス加工部１５、１５により形成する構成を例示して説明したが、折り曲げ部は、ペット用吸収性シートを折り曲げられるものであればこれに限定されず、例えば、折り曲げ線などであっても良い。
【００４２】
また、上記実施形態おいては、短辺及び長辺を有する平面視略長方形状に形成されたペット用吸収性シート１を例示して説明したが、ペット用吸収性シートの形状は平面視略矩形状であれば良く、例えば、略正方形状などであっても良い。
【００４３】
また、上記実施形態おいては、エンボス加工部１５、１５の吸収体１３が全体的又は部分的に欠落している構成を例示して説明したが、エンボス加工部１５、１５の吸収体１３を欠落させない構成としても良いのは勿論である。即ち、エンボス加工部１５、１５は、吸収体１３を欠落させなくても、エンボス加工で吸収体１３を圧縮することにより、周囲（他の部分）よりも薄くすることができ、容易に折り曲げることができることとなる。
【００４４】
＜変形例１＞
次に、変形例１のペット用吸収性シート１Ａについて説明する。
変形例１のペット用吸収性シート１Ａは、例えば、図７に示すように、補強部１４Ａ、１４Ａが、裏面シート１２と別体として備えられている。
補強部１４Ａ、１４Ａは、裏面シート１２と同様の不透液性の素材であれば、特に限定されるものではないが、より高強度の素材や、表面親水性で内面疎水性の素材等を使うことで、その補強性能を向上させることができるため好ましい。
このように変形例１のペット用吸収性シート１Ａによれば、その長手両側縁（Ｙ方向両端）をより補強されたものとすることができる。
【００４５】
＜変形例２＞
次に、変形例２のペット用吸収性シート１Ｂについて説明する。
変形例２のペット用吸収性シート１Ｂは、例えば、図８に示すように、ペット用吸収性シート１Ｂの長手両側縁（Ｙ方向両端）から予め設定された複数の位置に、折り曲げ部として、Ｘ方向に沿って延在するエンボス加工部１５、１５が備えられている。
このように構成することで、ペット用吸収性シート１Ｂは、より多様なトレー１０２のサイズに対応可能となり、利便性をさらに向上させることができる。
【００４６】
＜変形例３＞
次に、変形例３のペット用吸収性シート１Ｃについて説明する。
変形例３のペット用吸収性シート１Ｃは、例えば、図９に示すように、ペット用吸収性シート１Ｃの長手両端縁（Ｘ方向両端）から予め設定された位置に、折り曲げ部として、Ｙ方向に沿って延在するエンボス加工部１６が更に備えられている。
このように構成することで、長手両端縁（Ｘ方向両端）も折り曲げることが可能となるため、より多様なトレー１０２のサイズに対応可能となり、利便性をさらに向上させることができる。
なお、図示は省略するが、こうしたＹ方向に沿って延在するエンボス加工部１６も、長手両端縁（Ｘ方向両端）から予め設定された複数の位置に備えることとしても良い。
また、ペット用吸収性シート１ＣのＸ方向両端においても、補強部を備える構成とすることもできる。
【符号の説明】
【００４７】
１、１Ａ、１Ｂ、１Ｃ  ペット用吸収性シート
１１  表面シート
１２  裏面シート
１３  吸収体
１４、１４Ａ  補強部
１５  エンボス加工部（折り曲げ部）
１５１  高圧縮部
１５２  低圧縮部
１６  エンボス加工部（折り曲げ部）
１００  ペット用トイレ
１０１  トイレ本体
１０２  トレー
【図１】
2013255451.tif 000003
【図２】
2013255451.tif 000004
【図３】
2013255451.tif 000005
【図４】
2013255451.tif 000006
【図５】
2013255451.tif 000007
【図６】
2013255451.tif 000008
【図７】
2013255451.tif 000009
【図８】
2013255451.tif 000010
【図９】
2013255451.tif 000011
【図１０】
2013255451.tif 000012